(57)【要約】【課題】リング部材の操作パネルへの取付および取り外しが容易に行えて、高い装飾機能を有するリング部材の操作パネルへの取付構造を提供する。【解決手段】円筒形状部２ａを有するリング部材２の操作パネル１への取付構造において、操作パネル１に前記リング部材の取付中心軸を中心とする一端に広幅部１ｃを有する円弧形状溝１ｂを複数個設け、前記リング部材２の底面に前記広幅部１ｃを挿通可能な係止部を有するフック形状部２ｂを前記円弧形状溝１ｂに対応させて突出形成し、前記操作パネル１のリング部材取付面の裏面側と前記フック形状部２ｂの係止部との夫々に凸部を設け、前記リング部材のフック形状部の係止部を前記円弧形状溝の広幅部に挿通させた後、前記リング部材を回動させるときに前記凸部同士が互いに乗り越えることによりリング部材の回動抵抗に強弱感を与え、かつ、リング部材を回動させた状態で前記操作パネルの円弧形状溝の縁を前記リング部材の底面と前記リング部材のフック形状部の係止部とで挾持させる。【選択図】図１
2010034107.tif 000002
【特許請求の範囲】
【請求項１】
円筒形状部を有するリング部材の操作パネルへの取付構造において、操作パネルに前記リング部材の取付中心軸を中心とする一端に広幅部を有する円弧形状溝を複数個設け、前記リング部材の底面に前記広幅部を挿通可能な係止部を有するフック形状部を前記円弧形状溝に対応させて突出形成し、前記操作パネルのリング部材取付面の裏面側と前記フックの係止部との夫々に凸部を設け、前記リング部材のフック形状部の係止部を前記円弧形状溝の広幅部に挿通させた後、前記リング部材を回動させるときに前記凸部同士が互いに乗り越えることによりリング部材の回動抵抗に強弱感を与え、かつ、リング部材を回動させた状態で前記操作パネルの円弧形状溝の縁を前記リング部材の底面と前記リング部材のフック形状部の係止部とで挾持させることを特徴とする操作パネルへのリング部材の取付構造。
【請求項２】
前記リング部材は合成樹脂部材に金属メッキを施して形成された請求項１の操作パネルへのリング部材の取付構造。
【請求項３】
前記リング部材が操作パネルに取り付けられる回転つまみの周囲に配置される装飾部品である請求項１または２の操作パネルへのリング部材の取付構造。
【請求項４】
前記操作パネルの前記リング部材取付面と反対側の面に採光板を締着し、前記採光板により前記リング部材が照明される請求項１から３のいずれかに記載した操作パネルへのリング部材の取付構造。
【請求項５】
前記採光板に凸部を設け、前記凸部により前記リング部材の取付時の回動と反対方向の回動が規制されると共に前記凸部と前記係止部との頂面に夫々Ｃ面またはＲ面を設け、前記Ｃ面またはＲ面により前記リング部材の取付時の回動が案内される請求項４の操作パネルへのリング部材の取付構造。
【請求項６】
前記採光板に凹部を設け、前記凹部により前記リング部材の取付時の回動と反対方向の回動が規制される請求項４の操作パネルへのリング部材の取付構造。
【発明の詳細な説明】
【技術分野】
【０００１】
この発明は電子機器の操作パネルに係わり、特に、そのリング部材の取付構造に関する。
【背景技術】
【０００２】
従来から車載用オーディオ装置のボリュウムつまみ等操作パネルに取り付けられた回転つまみの周囲にはリング部材が配置されていた。このリング部材は装飾効果を高めるために合成樹脂部材に金属メッキするものが多く、金属メッキしたものはねじで締め付けると外面にクラックが入るためにねじ止めによる取付構造は採用できない。また、回転つまみの周囲はライティングするものが多く、光を透過しやすい合成樹脂の素材が多く用いられていた。
【０００３】
そのようなリング部材の操作パネルへの取付構造の従来の例を図７により説明する。図７に示すリング部材１２は円筒形状部１２ａの底面にボス１２ｂ、１２ｂ…が４本等間隔に立設されている。
【０００４】
操作パネル１０の背面側には採光板１３が配置される。そして、操作パネル１０の回転つまみ挿通穴１０ａの周囲に等間隔に４個設けられたボス挿通穴１０ｂ、１０ｂ…と採光板１３のフランジ１３ａ、１３ａ…に夫々形成された穴１３ｂ、１３ｂ…とを操作パネル１０の前面側に配置されたリング部材１２のボス１２ｂ、１２ｂ…を挿通させ、ボス１２ｂ、１２ｂ…を採光板１３のフランジ１３ａ、１３ａ…に熱溶着させてリング部材１２と採光板１３が操作パネル１０に取り付けられる。
【０００５】
図８に従来の操作パネルへの取付構造の他の例を示す。この例では、操作パネル１４の回転つまみ挿通穴１４ａの周囲に両面テープ貼付面１４ｂが形成されており、両面テープ貼付面１４ｂとリング部材１５の底面１５ａとで両面テープ１６を挟むようにして両面テープ１６によりリング部材１５が操作パネル１４に取り付けられる。
【０００６】
図７に示す従来のリング部材の操作パネルへの取付構造では、組み立て時にリング部材１５に傷が付く等して外観不良となった場合に、リング部材を交換することができず、操作パネルごと廃棄しなければならず、廃棄無駄が多くなり、製造コストが高くなるという問題があった。
【０００７】
さらに、リング部材のボス１２ｂ、１２ｂ…が採光板１３を挿通して採光板１３の背後に配置されるプリント基板に近接するために、リング部材を金属メッキしている場合は、静電気対策のために板金部品を追加する必要があり、製造コストが高くなる要因となっていた。
【０００８】
図８に示す従来のリング部材の操作パネルへの取付構造では、一旦取り付けたリング部材１５を操作パネル１４から外すことは容易ではなく、リング部材に傷が付いたときは、やはり操作パネルごと廃棄しなければならなかった。
【０００９】
特開２００８−４７４２１号公報に開示された操作装置では、エンコーダ４４を回転操作するノブ６６の周囲にリング形状の操作部材３３が配置される。操作部材３３は押釦の機能および防水機能を備えるものであり、ゴム製である。
【００１０】
この操作装置はリング形状部材がゴム製であるため、光透過性が劣り、装飾機能を十分に果たせないものであった。
【特許文献１】特開２００８−４７４２１号公報、段落００３０、段落００３４、図１７〜図２０、図２５
【発明の開示】
【発明が解決しようとする課題】
【００１１】
この発明は上記した点に鑑みてなされたものであって、その目的とするところは、リング部材の操作パネルへの取付および取り外しが容易に行えて、高い装飾機能を有するリング部材の操作パネルへの取付構造を提供することにある。
【課題を解決するための手段】
【００１２】
この発明の操作パネルへのリング部材の取付構造は、円筒形状部を有するリング部材の操作パネルへの取付構造において、操作パネルに前記リング部材の取付中心軸を中心とする一端に広幅部を有する円弧形状溝を複数個設け、前記リング部材の底面に前記広幅部を挿通可能な係止部を有するフック形状部を前記円弧形状溝に対応させて突出形成し、前記操作パネルのリング部材取付面の裏面側と前記フック形状部の係止部との夫々に凸部を設け、前記リング部材のフック形状部の係止部を前記円弧形状溝の広幅部に挿通させた後、前記リング部材を回動させるときに前記凸部同士が互いに乗り越えることによりリング部材の回動抵抗に強弱感を与え、かつ、リング部材を回動させた状態で前記操作パネルの円弧形状溝の縁を前記リング部材の底面と前記リング部材のフック形状部の係止部とで挾持させる挾持させるものである。
【００１３】
また、前記操作パネルへのリング部材の取付構造において、前記リング部材を合成樹脂部材に金属メッキを施して形成したものである。
【００１４】
また、前記各操作パネルへのリング部材の取付構造において、前記リング部材を操作パネルに取り付けられる回転つまみの周囲に配置される装飾部品としたものである。
【００１５】
また、前記各操作パネルへのリング部材の取付構造において、前記操作パネルの前記リング部材取付面と反対側の面に採光板を締着し、前記採光板により前記リング部材が照明されるものである。
【００１６】
また、前記操作パネルへのリング部材の取付構造において、前記採光板に凸部を設け、前記凸部により前記リング部材の取付時の回動と反対方向の回動が規制されると共に前記凸部と前記係止部との頂面に夫々Ｃ面またはＲ面を設け、前記Ｃ面またはＲ面により前記リング部材の取付時の回動が案内されるものである。
【００１７】
また、同操作パネルへのリング部材の取付構造において、前記採光板に凹部を設け、前記凹部により前記リング部材の取付時の回動と反対方向の回動が規制されるものである。
【発明の効果】
【００１８】
この発明の操作パネルへの取付構造によれば、リング部材の操作パネルへの取付および取り外しが容易に行えるため、組み立て不良が発生しにくく製造コストが安くなる。また、合成樹脂製のリング部材を使用するために、装飾効果が高くなる。
【発明を実施するための最良の形態】
【００１９】
以下この発明を実施するための最良の形態を実施例に即して説明する。
【実施例１】
【００２０】
図１はこの発明の実施例１であるリング部材の操作パネルへの取付構造を斜め前方から見た分解斜視図、図２は同リング部材の操作パネルへの取付構造を斜め後方から見た分解斜視図、図３は同リング部材の操作パネルへの取付構造を示す断面図、図４（ａ）は同リング部材の操作パネルへの取付構造の円周方向断面を示す部分断面図、図４（ｂ）は図４（ａ）おけるＡ−Ａ断面を示す部分断面図である。
【００２１】
図１および図２に示す操作パネル１は図示していない車載用音響機器の筐体の前面に配置されるが図１および図２では操作パネル１の部分が示されている。操作パネル１の前面側には、回転つまみ挿通穴１ａの周囲に合成樹脂製のリング部材２が取付けられ、操作パネル１の背面側には、リング部材２の背後に位置する図示していないプリント基板に実装されたＬＥＤ等の光源から放射される光をリング部材２に導く採光板３が取付けられる。図３にリング部材２と採光板３が操作パネル１に取付けられた状態が示されている。
【００２２】
リング部材２の円筒形状部２ａの底面には図４にも詳しく示すフック形状部２ｂ、２ｂが対称位置２箇所に立設されている。フック形状部２ｂ、２ｂは断面略逆Ｌ字形状であり、上部に係止部２ｃが横方向に延びている。係止部２ｃの下面には凸部２ｄが形成され、上面先端部にＣ面（チャンファー）２ｅが形成されている。
【００２３】
操作パネル１の前記フック形状部２ｂ、２ｂに対応する位置に広幅部１ｃを有する円弧形状溝１ｂ、１ｂが設けられている。操作パネル１にはさらに円弧形状溝１ｂの近傍に凸部１ｅ、１ｅが形成されている。
【００２４】
採光板３はねじ４を挿通させる穴３ｂを有するフランジ３ａが２箇所に設けられておりさらにリング部材２のフック形状部２ｂの係止部２ｃと近接する対称位置の２箇所に凸部３ｃ、３ｃが設けられている。凸部３ｃの上面にはＣ面３ｄが形成されている。
【００２５】
次に、リング部材２および採光板３の操作パネル１への取付け方法を説明する。先ず、リング部材２のフック形状部２ｂの係止部２ｃ、２ｃを操作パネル１の円弧形状溝１ｂの広幅部１ｃ、１ｃに挿通させた後、リング部材２を図１および図２に矢印で示す方向に回動させる。
【００２６】
このとき、リング部材２は図４に矢印で示す方向に回動するが、その途中でリング部材２の凸部２ｄが操作パネル１の凸部１ｅを乗り越える。これによりリング部材２の回動操作にクリック感が生じ作業者がリング部材２を定位置まで回動させたことが判り、また、後で説明するように、採光板３によりリング部材２を固定する前の組立て作業中にリング部材２に物が当たってもリング部材２が操作パネル１から容易には外れない。
【００２７】
リング部材２が操作パネル１に取付けられた後、採光板３の穴３ｂ、３ｂを挿通させたねじ４、４を操作パネル１のボス１ｄ、１ｄに設けられたねじ穴にねじ込むことにより採光板３が操作パネル１に取付けられる。このとき、採光板３のＣ面３ｄとリング部材２のＣ面２ｅとが当接して採光板３が回動方向に案内され、さらに、Ｃ面３ｄとＣ面２ｅが外れると、採光板３が操作パネル１に向けて押し込まれるので組立てが行いやすい。
【００２８】
採光板３が操作パネル１に取付けられた状態では、リング部材２のフック形状部２ｂと採光板３の凸部３ｃが当接して、リング部材２の図４の矢印と反対方向の動きが規制されるので、リング部材２が操作パネル１に強固に固定される。
【００２９】
このように、操作パネル１に取付けられたリング部材２は、採光板３を締着したねじ４、４を外して操作パネル１から除き、リング部材２を取付け時と逆方向に回動させて、円弧形状溝１ｂの広幅部１ｃ、１ｃからリング部材２係止部２ｃ、２ｃを抜き取ることにより操作パネル１から容易に外すことができる。
【００３０】
このように、リング部材２を操作パネル１から容易に外すことができるので、組立て後にリング部材２の不良が見つかったときにも、操作パネル１ごと取り替える必要がなく、製造コストが削減される。また、製品を廃棄するときの分別も容易である。
【００３１】
リング部材２は合成樹脂性であるため、装飾の効果や照明の効果を高めることができる。リング部材２は装飾効果を高めるために金属メッキすることが多いが、その場合にもリング部材２が採光板３を挿通してプリント基板と近接することがないので、静電気対策のために板金部品を追加する必要がない。
【実施例２】
【００３２】
図５はこの発明の実施例２であるリング部材の操作パネルへの取付構造を斜め前方から見た分解斜視図、図６は同操作パネルへの取付構造を示す部分断面図である。この例で用いられる採光板５は、ねじ４を挿通させる穴５ｂを有するフランジ５ａが２箇所に設けられておりさらにリング部材２のフック形状部２ｂの係止部２ｃと近接する対称位置の２箇所に凹部５ｃ、５ｃが設けられている。凹部５ｃの上面の一方の縁にはＣ面５ｄが形成されている。
【００３３】
この例では実施例１と同様の操作パネル１とリング部材２が用いられる。そして、実施例１と同様の方法で操作パネル１にリング部材２と採光板５が組み付けられるが、そのとき、凹部５ｃのＣ面５ｄとフック形状部２ｂのＣ面２ｅとの当接により採光板５の回動がガイドされる。
【００３４】
図６に操作パネル１にリング部材２と採光板５が組み付けられた状態を示している。この例では実施例１と同様の効果を奏するが、さらに、採光板５が操作パネル１およびリング部材２に近接するので、リング部材２の照明効果が高められる。
【００３５】
実施例は以上のように構成されているが発明はこれに限られず、例えば、この発明を回転つまみ以外の操作パネル１に配置される部材の装飾に適用することもできる。
【図面の簡単な説明】
【００３６】
【図１】この発明の実施例１であるリング部材の操作パネルへの取付構造を斜め前方から見た分解斜視図である。
【図２】同リング部材の操作パネルへの取付構造を斜め後方から見た分解斜視図である。
【図３】同リング部材の操作パネルへの取付構造を示す断面図である。
【図４】図４（ａ）は同リング部材の操作パネルへの取付構造の円周方向断面を示す部分断面図、図４（ｂ）は図４（ａ）におけるＡ−Ａ断面を示す部分断面図である。
【図５】この発明の実施例２であるリング部材の操作パネルへの取付構造を斜め前方から見た分解斜視図である。
【図６】同操作パネルへの取付構造を示す部分断面図である。
【図７】従来のリング部材の操作パネルへの取付構造の例を斜め前方から見た分解斜視図である。
【図８】従来のリング部材の操作パネルへの取付構造の他の例を斜め前方から見た分解斜視図である。
【符号の説明】
【００３７】
１  操作パネル、１ａ  回転つまみ挿通穴、１ｂ  円弧形状溝、１ｃ  広幅部
１ｄ  ボス、１ｅ  凸部
２  リング部材、２ａ  円筒形状部、２ｂ  フック形状部、２ｃ  係止部、２ｄ  凸部、２ｅ  Ｃ面
３  採光板、３ａ  フランジ、３ｂ  穴、３ｃ  凸部、３ｄ  Ｃ面
４  ねじ
５  採光板、５ａ  フランジ、５ｂ  穴、５ｃ  凹部、５ｄ  Ｃ面
１０  操作パネル、１０ａ  回転つまみ挿通穴、１０ｂ  ボス挿通穴
１２  リング部材、１２ａ  円筒形状部、１２ｂ  ボス
１３  採光板、１３ａ  フランジ、１３ｂ  穴
１４  操作パネル、１４ａ  回転つまみ挿通穴、１４ｂ両面テープ貼付面
１５  リング部材、１５ａ  底面
１６両面テープ
【図１】
2010034107.tif 000003
【図２】
2010034107.tif 000004
【図３】
2010034107.tif 000005
【図４】
2010034107.tif 000006
【図５】
2010034107.tif 000007
【図６】
2010034107.tif 000008
【図７】
2010034107.tif 000009
【図８】
2010034107.tif 000010